【手続補正書】
【提出日】平成27年2月3日(2015.2.3)
【手続補正１】
【補正対象書類名】特許請求の範囲
【補正対象項目名】全文
【補正方法】変更
【補正の内容】
【特許請求の範囲】
【請求項１】
ＩＰパケット化された圧縮映像信号を伝送する第１のネットワークと、ＩＰパケット化された非圧縮映像信号を伝送する第２のネットワークとを接続し、前記第１のネットワークから受信した前記ＩＰパケット化された圧縮映像信号を復号化し、前記第２のネットワークに前記ＩＰパケット化された非圧縮映像信号を伝送するための映像デコーダであって、
前記第１のネットワークから前記ＩＰパケット化された圧縮映像信号を受信する受信手段と、
前記ＩＰパケット化された圧縮映像信号から、圧縮された映像データを取り出す取出し手段と、
前記圧縮された映像データを復号化する復号化手段と、
前記復号化手段により前記復号化された映像データをＩＰパケット化して、前記ＩＰパケット化された非圧縮映像信号を作成する作成手段と、
前記ＩＰパケット化された非圧縮映像信号を前記第２のネットワークに送信する送信手段と
を含むデコーダ部を備えることを特徴とする映像デコーダ。
【請求項２】
複数の前記デコーダ部と、
それぞれが前記少なくとも１つの第１のネットワークのうちのいずれかに接続された、複数の受信側ネットワークインタフェースと、
前記複数の受信側ネットワークインタフェースの少なくとも１つを介して前記第１のネットワークから前記ＩＰパケット化された圧縮映像信号を受信し、前記複数のデコーダ部のうちの少なくとも１つを選択して前記ＩＰパケット化された圧縮映像信号を送信する受信側のスイッチと
をさらに含むことを特徴とする請求項１に記載の映像デコーダ。
【請求項３】
複数の前記デコーダ部と、
それぞれが前記少なくとも１つの第２のネットワークのうちのいずれかに接続された、複数の送信側ネットワークインタフェースと、
前記複数の前記デコーダ部のいずれかから前記ＩＰパケット化された非圧縮映像信号を受信し、前記複数の送信側ネットワークインタフェースのうちの少なくとも１つを選択し、前記選択された送信側ネットワークインタフェースを介して前記ＩＰパケット化された非圧縮映像信号を前記第２のネットワークに送信する送信側のスイッチと
をさらに含むことを特徴とする請求項１に記載の映像デコーダ。
【請求項４】
複数の前記デコーダ部と、
それぞれが前記少なくとも１つの第１のネットワークのうちのいずれかに接続された、複数の受信側ネットワークインタフェースと、
前記複数の受信側ネットワークインタフェースの少なくとも１つを介して前記第１のネットワークから前記ＩＰパケット化された圧縮映像信号を受信し、前記複数のデコーダ部のうちの少なくとも１つを選択して前記ＩＰパケット化された圧縮映像信号を送信する受信側のスイッチと、
それぞれが前記少なくとも１つ第２のネットワークのうちのいずれかに接続された、複数の送信側ネットワークインタフェースと、
前記選択されたデコーダ部から前記ＩＰパケット化された非圧縮映像信号を受信し、前記送信側ネットワークインタフェースのうちの少なくとも１つを選択し、前記選択された送信側ネットワークインタフェースを介して前記ＩＰパケット化された非圧縮映像信号を前記第２のネットワークに送信する送信側のスイッチと
をさらに含むことを特徴とする請求項１に記載の映像デコーダ。
【請求項５】
前記受信側のスイッチと、前記送信側のスイッチとは、同一のスイッチを使用することを特徴とする請求項４に記載の映像デコーダ。
【請求項６】
前記取出し手段は、圧縮されたオーディオデータを取り出すオーディオデータ取出し手段を更に含み、
前記復号化手段は、前記圧縮されたオーディオデータを復号化するオーディオデータ復号化手段を更に含み、
前記作成手段は、前記オーディオデータ復号化手段によって復号化された前記オーディオデータを、前記復号化された映像データに含ませる組み込み手段を更に含む
ことを特徴とする請求項１乃至５のいずれか１項に記載の映像デコーダ。
【請求項７】
ＩＰパケット化された圧縮映像信号を伝送する第１のネットワークと、
ＩＰパケット化された非圧縮映像信号を伝送する前記第１のネットワークと異なる第２のネットワークと、
前記第１のネットワークと、前記第２のネットワークとを接続し、前記第１のネットワークから受信した前記ＩＰパケット化された圧縮映像信号を復号化し、前記第２のネットワークに前記ＩＰパケット化された非圧縮映像信号を伝送する映像デコーダと
を備え、
前記映像デコーダは、デコーダ部であって、
前記第１のネットワークから前記ＩＰパケット化された圧縮映像信号を受信する受信手段と、
前記ＩＰパケット化された圧縮映像信号から、圧縮された映像データを取り出す取り出し手段と、
前記圧縮された映像データを復号化する復号化手段と、
前記復号化手段により前記復号化された映像データをＩＰパケット化して、前記ＩＰパケット化された非圧縮映像信号を作成する作成手段と、
前記ＩＰパケット化された非圧縮映像信号を前記第２のネットワークに送信する送信手段と
を含むデコーダ部を含むことを特徴とする映像配信システム。
【請求項８】
前記映像デコーダは、
複数の前記デコーダ部と、
それぞれが前記少なくとも１つの第１のネットワークのうちのいずれかに接続された、複数の受信側ネットワークインタフェースと、
前記複数の受信側ネットワークインタフェースの少なくとも１つを介して前記第１のネットワークから前記ＩＰパケット化された圧縮映像信号を受信し、前記複数のデコーダ部のうちの少なくとも１つを選択して前記ＩＰパケット化された圧縮映像信号を送信する受信側のスイッチと
をさらに含むことを特徴とする請求項７に記載の映像配信システム。
【請求項９】
前記映像デコーダは、
複数の前記デコーダ部と、
それぞれが前記少なくとも１つの第２のネットワークのうちのいずれかに接続された、複数の送信側ネットワークインタフェースと、
前記複数のデコーダ部のいずれかから前記ＩＰパケット化された非圧縮映像信号を受信し、前記複数の送信側ネットワークインタフェースのうちの少なくとも１つを選択し、前記選択された送信側ネットワークインタフェースを介して前記ＩＰパケット化された非圧縮映像信号を前記第２のネットワークに送信する送信側のスイッチと
をさらに含むことを特徴とする請求項７に記載の映像配信システム。
【請求項１０】
前記映像デコーダは、
複数の前記デコーダ部と、
それぞれが前記少なくとも１つの第１のネットワークのうちのいずれかに接続された、複数の受信側ネットワークインタフェースと、
前記複数の受信側ネットワークインタフェースの少なくとも１つを介して前記第１のネットワークから前記ＩＰパケット化された圧縮映像信号を受信し、前記複数のデコーダ部のうちの少なくとも１つを選択して前記ＩＰパケット化された圧縮映像信号を送信する受信側のスイッチと、
それぞれが前記少なくとも１つの第２のネットワークのうちのいずれかに接続された、複数の送信側ネットワークインタフェースと、
前記選択されたデコーダ部から前記ＩＰパケット化された非圧縮映像信号を受信し、前記複数の送信側ネットワークインタフェースのうちの少なくとも１つを選択し、前記選択された送信側ネットワークインタフェースを介して前記ＩＰパケット化された非圧縮映像信号を前記第２のネットワークに送信する送信側のスイッチと
をさらに含むことを特徴とする請求項７に記載の映像配信システム。
【請求項１１】
前記受信側のスイッチと、前記送信側のスイッチとは、同一のスイッチを使用することを特徴とする請求項１０に記載の映像配信システム。
【請求項１２】
前記映像デコーダの前記取出し手段は、圧縮されたオーディオデータを取り出すオーディオデータ取出し手段を更に含み、
前記映像デコーダの前記復号化手段は、前記圧縮されたオーディオデータを復号化するオーディオデータ復号化手段を更に含み、
前記映像デコーダの前記作成手段は、前記オーディオデータ復号化手段によって復号化された前記オーディオデータを、前記復号化された映像データに含ませる組み込み手段を更に含む
ことを特徴とする請求項７乃至１１のいずれか１項に記載の映像配信システム。